(57)【要約】【課題】導光板及び該導光板を採用する光源装置を提供する。【解決手段】導光板は出光面である第一表面と、前記第一表面に面する第二表面と、前記第一表面及び前記第二表面に接続する複数の入光面と、を含み、前記第二表面は、複数の環状の溝を有し、前記複数の溝の深さは、前記導光板の中心に近い位置から前記複数の入光面に近い位置へ逓減し、且つ、複数の環状の溝の各々は、第一環状の側壁面と、前記第一環状の側壁面と対面する第二環状の側壁面と、を含み、前記第二環状の側壁面は、前記環状の溝の幾何学的中心と、前記第一環状の側壁面との間に位置し、前記第一環状の側壁面は、傾斜表面であり、且つ、前記第一環状の側壁面の法線ベクトルと、前記第一表面の法線ベクトルとの夾角は、９０度より大きい。光源装置は、前記導光板を含む。【選択図】図１Ａ
2011198754.tif 000002
【特許請求の範囲】
【請求項１】
導光板であって、
出光面である第一表面と、
前記第一表面に面する第二表面と、
前記第一表面及び前記第二表面に接続する複数の入光面と、
を含み、
前記第二表面は、複数の環状の溝を有し、前記複数の溝の深さは、前記導光板の中心に近い位置から前記複数の入光面に近い位置へ逓減し、且つ、前記複数の環状の溝の各々は、
第一環状の側壁面と、
前記第一環状の側壁面と対面する第二環状の側壁面と、
を含み、
前記第二環状の側壁面は、前記環状の溝の幾何学的中心と、前記第一環状の側壁面との間に位置し、前記第一環状の側壁面は、傾斜表面であり、且つ、前記第一環状の側壁面の法線ベクトルと、前記第一表面の法線ベクトルとの夾角は、９０度より大きい、
導光板。
【請求項２】
前記第二表面は、さらに、窪みを有し、前記窪みは、前記複数の環状の溝の各々により囲まれ、且つ、前記窪みは、環状の側壁面を有し、前記環状の側壁面は、傾斜表面であり、且つ、前記環状の側壁面の法線ベクトルと、前記第一表面の法線ベクトルとの夾角は、９０度より大きい、
請求項１に記載の導光板。
【請求項３】
前記複数の環状の溝の各々の幾何学的中心及び前記窪みの幾何学的中心は、前記第一表面上における正投影が互い重ね合う、
請求項２に記載の導光板。
【請求項４】
前記窪みは、さらに、底面を有し、前記底面は、前記複数の環状の溝の各々の幾何学的中心に位置し、且つ、前記環状の側壁面に接続する、
請求項２に記載の導光板。
【請求項５】
前記窪みは、内径が前記窪みの底面から前記窪みの頂部へ逓増する柱状の窪みである、
請求項４に記載の導光板。
【請求項６】
前記環状の溝は、さらに、環状の底面を有し、前記環状の底面は、前記第一環状の側壁面及び前記第二環状の側壁面に接続する、
請求項１に記載の導光板。
【請求項７】
前記第二環状の側壁面の法線ベクトルと、前記第一表面の法線ベクトルとの夾角は、９０度より大きく、且つ、前記第二環状の側壁面の法線ベクトルと、前記第一環状の側壁面の法線ベクトルとの夾角は、０より大きく且つ１８０度より小さい、
請求項３に記載の導光板。
【請求項８】
前記環状の溝は、円環又は多辺形の環である、
請求項１に記載の導光板。
【請求項９】
前記第一環状の側壁面の法線ベクトルと、前記第一表面の法線ベクトルとの夾角は、前記複数の入光面に近い位置から前記導光板の中心に近い位置へ逓減する、
請求項１に記載の導光板。
【請求項１０】
前記第一環状の側壁面の法線ベクトルと、前記第一表面の法線ベクトルとの夾角の範囲は、１３０度以上且つ１４０度以下である、
請求項９に記載の導光板。
【請求項１１】
隣接する二つの前記環状の溝の間は、間隔を有する、
請求項１に記載の導光板。
【請求項１２】
光源装置であって、
導光板と、複数の発光ユニットと、を含み、
前記導光板は、
出光面である第一表面と、
前記第一表面に面する第二表面と、
前記第一表面及び前記第二表面に接続する複数の入光面と、
を含み、
前記第二表面は、複数の環状の溝を有し、前記複数の溝の深さは、前記導光板の中心に近い位置から前記複数の入光面に近い位置へ逓減し、且つ、前記複数の環状の溝の各々は、
第一環状の側壁面と、
前記第一環状の側壁面と対面する第二環状の側壁面と、
を含み、
前記第二環状の側壁面は、前記環状の溝の幾何学的中心と、前記第一環状の側壁面との間に位置し、前記第一環状の側壁面は、傾斜表面であり、且つ、前記第一環状の側壁面の法線ベクトルと、前記第一表面の法線ベクトルとの夾角は、９０度より大きく、
前記複数の発光ユニットは、夫々、前記複数の入光面の近傍に位置し、前記複数の発光ユニットは、複数の光束を発し、前記複数の光束は、前記複数の入光面を経由して前記導光板に進入し、且つ、前記第一表面を経由して前記光源装置の外へ射出する、
光源装置。
【請求項１３】
前記第二表面は、さらに、窪みを有し、前記窪みは、前記複数の環状の溝の各々により囲まれ、且つ、前記窪みは、環状の側壁面を有し、前記環状の側壁面は、傾斜表面であり、且つ、前記環状の側壁面の法線ベクトルと、前記第一表面の法線ベクトルとの夾角は、９０度より大きい、
請求項１２に記載の光源装置。
【請求項１４】
前記複数の環状の溝の各々の幾何学的中心及び前記窪みの幾何学的中心は、前記第一表面上における正投影が互い重ね合う、
請求項１３に記載の光源装置。
【請求項１５】
前記窪みは、さらに、底面を有し、前記底面は、前記複数の環状の溝の各々の幾何学的中心に位置し、且つ、前記環状の側壁面に接続する、
請求項１３に記載の光源装置。
【請求項１６】
前記環状の溝は、さらに、環状の底面を有し、前記環状の底面は、前記第一環状の側壁面及び前記第二環状の側壁面に接続する、
請求項１２に記載の光源装置。
【請求項１７】
前記第二環状の側壁面の法線ベクトルと、前記第一表面の法線ベクトルとの夾角は、９０度より大きく、且つ、前記第二環状の側壁面の法線ベクトルと、前記第一環状の側壁面の法線ベクトルとの夾角は、０より大きく且つ１８０度より小さい、
請求項１４に記載の光源装置。
【請求項１８】
前記環状の溝は、円環又は多辺形の環である、
請求項１２に記載の光源装置。
【請求項１９】
前記第一環状の側壁面の法線ベクトルと、前記第一表面の法線ベクトルとの夾角は、前記複数の入光面に近い位置から前記導光板の中心に近い位置へ逓減する、
請求項１２に記載の光源装置。
【請求項２０】
隣接する二つの前記環状の溝の間は、間隔を有する、
請求項１２に記載の光源装置。
【請求項２１】
前記光源装置は、さらに、反射片を含み、前記反射片は、前記第二表面に配置される、
請求項１２に記載の光源装置。
【発明の詳細な説明】
【技術分野】
【０００１】
本発明は、導光板及び光源装置に関し、特に、導光板及び導光板を採用する光源装置に関する。
【背景技術】
【０００２】
エッジライト型光源モジュールが、通常、導光板を含み、導光板は、光源からの乱反射された光束を所定の方向に導くために用いられ、また、出光面の輝度の均一性を確保することにより、光源モジュールの中の点光源又は線光源を面光源に変換するために用いられる。一般的に言えば、導光板は、通常、複数の微細構造を有し、この微細構造を使って全反射を潰すことにより、導光板は、出光面において均一な平面光源を提供することができる。よって、この微細構造を設計することにより、導光板は、均一に発光することができる。
【０００３】
大部分の導光板では、光射出角度を効果的に制御することができず、また、多くの導光板は、投光型であるため、照明器具に応用される場合はフレアが生じることがあり、使用者に不快感を与えることもある。また、光を制御する機能を有する一部の導光板は、光源の二つの方向のみにおいて光射出角度を制御することができるが、光源の光射出角度を完全に制御することができない。
【０００４】
台湾実用公告第Ｍ２４３６５６号は導光板を開示し、この導光板の出光面には同心円の溝アレーが設けられる。台湾特許公告第Ｉ２４１４４１号は導光板を開示し、その導光板の底面には複数のＶ型溝が含まれ、且つ、Ｖ型溝の頂部の高度は、Ｖ型溝と入光面との間の距離が増えるにつれて増える。
【０００５】
米国特許第７０２５４８２号は照明装置を開示し、この照明装置の導光素子の表面には同心円の溝が設けられる。台湾特許公告第５０９６０５号は微細成型カッターを開示し、この微細成型カッターは被加工物を切削し同心円の立体構造を形成することに適する。米国特許公開第２００６００５０２００号はプリズム片を開示し、このプリズム片の表面には同心円の溝からなる環状のプリズムがある。米国特許第４１０５２９３号は導光用光源台座を開示し、この光源台座は、出光面が円形である導光板と、導光板を囲む複数の光源とを含む。
【発明の概要】
【発明が解決しようとする課題】
【０００６】
本発明の目的は、良好な集光効果を有する導光板を提供することにある。
【０００７】
本発明のもう一つの目的は、集光効果が良好な照明を提供する光源装置を提供することにある。
【０００８】
本発明の他の目的と利点については、本発明に開示される技術的特徴から更なる理解を得ることができる。
【課題を解決するための手段】
【０００９】
前述の一又は部分又は全部の目的若しくは他の目的を達成するために、本発明の一実施例は導光板を提供する。この導光板は第一表面、第二表面及び複数の入光面を含む。第二表面は第一表面に面し、そのうち、第一表面は出光面である。複数の入光面は第一表面及び第二表面と接続する。第二表面は複数の環状の溝を有する。前記複数の環状の溝の深さは、導光板の中心に近い位置から前記複数の入光面に近い位置へ逓減する。各環状の溝は、第一環状の側壁面と第二環状の側壁面とを有する。第二環状の側壁面は、第一環状の側壁面と対面する。第二環状の側壁面は、環状の溝の幾何学的中心と第一環状の側壁面との間に位置する。第一環状の側壁面は、傾斜表面であり、且つ、第一環状の側壁面の法線ベクトルと第一表面の法線ベクトルとの夾角は、９０度より大きい。
【００１０】
本発明の一実施例では、前記第二表面は、さらに、窪みを有する。窪みは、各環状の溝により囲まれ、且つ、窪みは、環状の側壁面を有する。環状の側壁面は、傾斜表面であり、且つ、環状の側壁面の法線ベクトルと、第一表面の法線ベクトルとの夾角は、９０度より大きい。
【００１１】
本発明の一実施例では、前記各環状の溝の幾何学的中心及び窪みの幾何学的中心は、第一表面上における正投影が互いに重ね合う。前記窪みは、さらに、底面を有し、そのうち、底面は、各環状の溝の幾何学的中心に位置し、且つ、環状の側壁面に接続する。また、窪みは、内径が窪みの底面から窪みの頂部へ逓増する柱状の窪みであっても良い。
【００１２】
本発明の一実施例では、前記環状の溝は、さらに、環状の底面を有する。環状の底面は、第一環状の側壁面及び第二環状の側壁面に接続する。第二環状の側壁面の法線ベクトルと、第一表面の法線ベクトルとの夾角は、９０度より大きく、且つ、第二環状の側壁面の法線ベクトルと、第一環状の側壁面の法線ベクトルとの夾角は、０度より大きく且つ１８０度より小さい角度であっても良い。また、前記環状の溝は、例えば、円環又は多辺形の環であっても良い。
【００１３】
本発明の一実施例では、第一環状の側壁面の法線ベクトルと、第一表面の法線ベクトルとの夾角は、入光面に近い位置から導光板の中心に近い位置へ逓減し、そのうち、第一環状の側壁面の法線ベクトルと、第一表面の法線ベクトルとの夾角の範囲は、１３０度〜１４０度（即ち、１３０度≦夾角≦１４０度）である。また、隣接する二つの溝の間は、間隔を有しても良い。
【００１４】
また、本発明の一実施例は、光源装置を提供する。この光源装置は、前記導光板と、複数の発光ユニットとを含む。複数の発光ユニットは、夫々、入光面の近傍に配置され、そのうち、各発光ユニットは、光束を発する。複数の光束は、夫々、入光面を経由して導光板に進入し、且つ、第一表面を経由して光源装置の外へ射出する。
【００１５】
本発明の一実施例では、光源装置は、さらに、反射片を含む。反射片は、第二表面に配置される。
【発明の効果】
【００１６】
本発明の実施例は、以下の利点又は効果の少なくとも一つを達成することができる。本発明の実施例では、導光板が複数の入光面及び環状の溝を有するので、光束の射出角度を効果的に制御することができ、これにより、良好な集光効果を提供することができる。
【図面の簡単な説明】
【００１７】
【図１Ａ】本発明の第一実施例による光源装置の断面図である。
【図１Ｂ】反射片を除去した後の図１Ａに示す光源装置の上面図である。
【図２】Ｘ方向及びＹ方向における導光板による照度の正規化を示す図である。
【図３】導光板の光源角度を示す図である。
【図４】本発明の第二実施例による光源装置の上面図である。
【図５】本発明の第三実施例による光源装置の断面図である。
【発明を実施するための形態】
【００１８】
次に、添付した図面を参照しながら、本発明の好適な実施形態を詳細に説明する。
【００１９】
なお、次の各実施例の説明は、添付した図面を参照して行われたものであり、本発明の実施可能な特定の実施例を例示するために用いられる。また、本発明に言及した方向の用語、例えば、上、下、前、後、左、右などは、添付した図面の方向を参考するためのもののみである。よって、以下に使用された方向の用語は、説明のために用いられ、本発明を限定するためのものでない。
【００２０】
また、本明細書では、物体の表面の法線ベクトルは、該表面に垂直し且つ該物体の内部から該物体の外部への方向を有するベクトルと定義される。
【実施例１】
【００２１】
図１Ａは、本発明の第一実施例による光源装置１００の断面図である。図１Ｂは、反射片を除去した後の図１Ａに示す光源装置１００の上面図である。具体的に言えば、図１Ａは、図１ＢのＩ−Ｉ線に沿った断面図である。図１Ａと図１Ｂを同時に参照する。光源装置１００は、導光板１１０及び複数の発光ユニット１２０を含む。導光板１１０は、第一表面Ｓ１、第二表面Ｓ２及び複数の入光面Ｓ３を含む。第二表面Ｓ２は、第一表面Ｓ１に面し、そのうち、第一表面Ｓ１は、出光面である。入光面Ｓ３は、第一表面Ｓ１及び第二表面Ｓ２に接続する。
【００２２】
複数の発光ユニット１２０は、夫々、入光面Ｓ３の近傍に配置され、そのうち、各発光ユニット１２０は、光束Ｌ１を発する。光束Ｌ１は、入光面Ｓ３を経由して導光板１１０に進入し、且つ、第一表面Ｓ１を経由して光源装置１００の外へ射出する。発光ユニット１２０は、例えば，複数の発光ダイオード（ＬＥＤ）１２２を含む。図１Ｂに示すように、本実施例による導光板１１０の形状は、例えば、六辺形であり、これにより、六個の入光面を提供する。しかし、他の実施例では、導光板１１０の形状は、円形又は三辺以上の多辺形であっても良い。
【００２３】
図１Ａと図１Ｂを同時に参照する。第二表面Ｓ２は、複数の環状の溝１１２を有する。これらの環状の溝１１２の深さｄ１は、導光板１１０の中心に近い位置から入光面Ｓ３に近い位置へ逓減し、夫々、例えば、５ｍｍ、３ｍｍ、２ｍｍ、１．５ｍｍ、及び１ｍｍである。また、各環状の溝１１２は、第一環状の側壁面１１２ａ及び第二環状の側壁面１１２ｂを有し、且つ、第二環状の側壁面１１２ｂは、第一環状の側壁面１１２ａと対面する。第二環状の側壁面１１２ｂは、環状の溝１１２の幾何学的中心Ｃと、第一環状の側壁面１１２ａとの間に位置する。環状の溝１１２の深さｄ１が導光板１１０の中心に近い位置から入光面Ｓ３に近い位置へ逓減することにより、光束Ｌ１が入光面Ｓ３から導光板１１０の中心へ進行することを助け、即ち、一部の光束Ｌ１は、深さが浅い環状の溝１１２の第一環状の側壁面１１２ａに先に到着し、それにより第一表面Ｓ１へ反射されて射出するが、他の部分の光束Ｌ１は、引き続いて進行し、次の深さが浅い環状の溝１１２の第一環状の側壁面１１２ａに到着し、それにより反射されて射出する。これにより、光束Ｌ１が斜面に到着し直接射出する場合を減少し、導光板１１０の中心に近い位置における光束Ｌ１の出光輝度を向上することができる。
【００２４】
図１Ａに示すように、第一環状の側壁面１１２ａは、傾斜表面であり、且つ、第一環状の側壁面１１２ａの法線ベクトルＮ１と、第一表面Ｓ１の法線ベクトルＮ３との夾角θ１は、９０度より大きい。そうすると、発光ユニット１２０からの光束Ｌ１は、第一環状の側壁面１１２ａにより反射され、導光板１１０の外へ射出することになる。また、本実施例による発光装置１００は、さらに、反射片１３０を含む。反射片１３０は、第二表面Ｓ２に配置され、且つ、光束Ｌ１を反射するために用いられ、これにより、光束Ｌ１は、導光板１１０の外へ射出する。
【００２５】
一方、本実施例の第二環状の側壁面１１２ｂの法線ベクトルＮ２と、第一表面Ｓ１の法線ベクトルＮ３との夾角θ２は、９０度より大きいが、他の実施例では、夾角θ２は９０度であっても良い。また、本実施例の第二環状の側壁面１１２ｂの法線ベクトルＮ２と、第一環状の側壁面１１２ａの法線ベクトルＮ１との夾角は、０度より大きく且つ１８０度より小さい。即ち、本実施例では、第一環状の側壁面１１２ａと、第二の環状の側壁面１１２ｂとは、互いに平行でない。また、環状の溝１１２は、さらに、環状の底面１１２ｃを有し、そのうち、環状の底面１１２ｃは、第一環状の側壁面１１２ａ及び第二環状の側壁面１１２ｂに接続する。図１Ａに示すように、環状の溝１１２は、例えば、横断面が台形である溝である。そのうち、環状の底面１１２ｃは、光束Ｌ１の前への進行を助け、これにより、光束Ｌ１が斜面に到着し直接射出する場合を減少し、導光板１１０の中心に近い位置における光束Ｌ１の出光輝度を向上することができる。また、本実施例の環状の溝１１２は、円環であり、且つ、隣接する環状の溝１１２の間は、間隔ｄ２を有し、間隔ｄ２は、例えば、０．５ｍｍである。間隔ｄ２は、光束１１の進行距離を増加し、光束Ｌ１が導光板１１０内において全反射を発生することを比較的に容易にすることができる。ところが、他の実施例では、隣接する環状の溝１１２は、すぐ隣であっても良く、即ち、間隔ｄ２は、０であっても良い。
【００２６】
また、第二表面Ｓ２は、さらに、窪み１１４を有する。窪み１１４は、各環状の溝１１２により囲まれ、且つ、窪み１１４は、環状の側壁面１１４ａを有する。環状の側壁面１１４ａは、傾斜表面である。図１Ａに示すように、環状の側壁面１１４ａの法線ベクトルＮ４と、第一表面Ｓ１の法線ベクトルＮ３との夾角は、９０度より大きい。同様に、法線ベクトルＮ４は、環状の側壁面１１４ａに垂直し、且つ、導光板１１０の内部から導光板１１０の外部への方向を有するものと定義される。また、窪み１１４は、さらに、底面１１４ｂを有しても良い。底面１１４ｂは、各環状の溝１１２の幾何学的中心Ｃに位置し、且つ、環状の側壁面１１４ａに接続する。各環状の溝１１２の幾何学的中心Ｃと窪み１１４の幾何学的中心Ｄは、第一表面Ｓ１における正投影Ｅが互いに重ね合う。本実施例では、窪み１１４が例えば柱状の窪みであり、且つ窪み１１４の内径ｄ３が窪み１１４の底面１１４ｂから窪み１１４の頂部１１４ｃへ逓減する。
【００２７】
再び図１Ｂと図１Ａを参照する。本実施例では、環状の溝１１２の深さｄ１が入光面Ｓ３に近い位置から導光板１１０の中心に近い位置へ逓増する他に、第一環状の側壁面１１２ａの法線ベクトルＮ１と、第一表面Ｓ１の法線ベクトルＮ３との夾角θ１も入光面Ｓ３に近い位置から導光板１１０の中心に近い位置へ逓減する。本実施例では、夾角θ１が左から右へ例えば夫々１４０度、１３５度及び１３０度などであり、法線ベクトルＮ４とＮ３との夾角θ３は、例えば、１３０度以下（≦１３０度）である。深さｄ１が導光板１１０の中心への方向に逓増すること、及び、夾角θ１が導光板１１０の中心への方向に逓減することにより、導光板１１０の集光効果を向上することができ、入光面Ｓ３における光束Ｌ１による明るい領域を抑えることもできる。また、光源装置１００は、多側からの入光方式を採用し、且つ、環状の溝１１２は、同心円の方式で配列されるので、導光板１１０の集光効果は、３６０度に近い集光効果に達することができ、これは、従来の双方向の集光方式と全く異なる。
【００２８】
図２は、Ｘ方向及びＹ方向における導光板１００による照度の正規化を示す図であり、図３は、導光板１００の光源角度を示す図であり、そのうち、図３の径方向の座標は、光強度を表し、単位は、任意の単位である。本実施例では、導光板１１０の環状の溝１１２が、入光面Ｓ３から所定の距離（例えば、２０ｍｍ）離れる位置に形成され始めるので、光束Ｌ１が導光板１１０の中で進行しているときに生じる全反射現象は、光束Ｌ１が入光面Ｓ３から２０ｍｍ進行した後に破壊され、それから、光束Ｌ１は射出する。よって、図１に示すように、導光板１１０の出光強度は、出光面Ｓ１と入光面Ｓ３との間の距離が増加するにつれて増加することができ、これにより、導光板１１０の中心に近い位置は、比較的に高い出光強度を有するようになる。また、図３に示すように、前述の構造設計により、本実施例による導光板１１０は、光束Ｌ１の射出角度を約３０度以内に制御することができ、これにより、集光型の平面光源を提供することができ、二つの方向のみに集光できるといった従来の導光板の制限を突破することができた。
【実施例２】
【００２９】
図４は、本発明の第二実施例による光源装置２００の上面図である。光源装置２００は、図１Ｂに示す光源装置１００に類似する。両者の主な相違点は、光源２００の環状の溝２１２が、多辺形の環であり、例えば、五辺形の環であることにある。また、導光板２１０の形状も、環状の溝２１２の形状に合わせて五辺形に設計される。また、光源装置２００に関するその他の構成などについては、第一実施例を参照する。ここでは、その詳細を省略する。
【実施例３】
【００３０】
図５は、本発明の第三実施例による光源装置３００の断面図である。光源３００は、図１Ａに示す光源１００に類似する。両者の主な相違点は、光源装置３００の環状の溝３１２が、横断面が三角形である溝であり、且つ、窪み３１４が、三角錐の窪みであることにある。その他の実施例では、窪み３１４が円錐の窪みであっても良い。また、光源装置３００に関するその他の構成などについては、第一実施例を参照する。ここでは、その詳細を省略する。
【００３１】
ゆえに、本発明の実施例は、以下の利点又は効果の少なくとも一つを達成することができる。本発明の実施例では、導光板が複数の入光面及び環状の溝を有するので、光束の射出角度を効果的に制御することができ、これにより、良好な集光効果を提供することができる。
【００３２】
本発明は、前述した好適な実施例に基づいて以上のように開示されたが、前述した好適な実施例は、本発明を限定するためのものでなく、当業者は、本発明の精神と範囲を離脱しない限り、本発明に対して些細な変更と潤色を行うことができるので、本発明の保護範囲は、添付した特許請求の範囲に定まったものを基準とする。また、本発明の何れの実施例又は特許請求の範囲は、本発明に開示された全ての目的又は利点又は特徴を達成する必要がない。また、要約の部分と発明の名称は、文献の検索を助けるためのみのものであり、本発明の権利範囲を限定するものでない。
【符号の説明】
【００３３】
１００、２００、３００  光源装置
１１０、２１０、３１０  導光板
１１２、２１２、３１２  環状の溝
１１２ａ、２１２ａ、３１２ａ  第一環状の側壁面
１１２ｂ、２１２ｂ、３１２ｂ  第二環状の側壁面
１１２ｃ、２１２ｃ  環状の底面
１１４、２１４、３１４  窪み
１１４ａ、２１４ａ、３１４ａ  環状の側壁面
１１４ｂ、２１４ｂ  底面
１１４ｃ、２１４ｃ、３１４ｃ  頂部
１２０、２２０、３２０  発光ユニット
１２２、２２２、３２２  発光ダイオード
Ｃ、Ｄ  幾何学的中心
Ｅ  正投影
Ｌ１  光束
Ｎ１〜Ｎ４  法線ベクトル
Ｓ１  第一表面
Ｓ２  第二表面
Ｓ３  入光面
θ１〜θ３  夾角
ｄ１  深さ
ｄ２  間隔
ｄ３  内径
【図１Ａ】
2011198754.tif 000003
【図１Ｂ】
2011198754.tif 000004
【図２】
2011198754.tif 000005
【図３】
2011198754.tif 000006
【図４】
2011198754.tif 000007
【図５】
2011198754.tif 000008